(57)【要約】      （修正有）【課題】取り忘れた印刷物を確実に印刷したユーザーに届けることができるとともに、セキュリティの向上を図ることができる画像形成装置を提供する。【解決手段】デジタル複合機は、画像読み取り部１４と、ユーザーの全身のうちの顔以外の少なくとも一部の画像を撮影するカメラ１９と、撮影した画像のデータを格納するハードディスク１６と、カメラ１９により撮影した画像のデータを含ませて画像を形成し、用紙に印刷する画像形成部１５と、画像形成部１５により印刷された印刷物の取り忘れを検知する取り忘れ検知センサ２９と、画像読み取り部１４により取り忘れられた印刷物の画像の読み取りを促すよう報知する表示画面２１と、画像読み取り部１４により読み取らせた印刷物の画像から、カメラ１９により撮影した画像のデータを抽出する抽出部と、抽出されたユーザーの全身のうちの顔以外の少なくとも一部の画像を表示する表示画面２１とを備える。【選択図】図２
2016034059.tif 000002
【特許請求の範囲】
【請求項１】
画像を読み取る画像読み取り部と、
画像を印刷するユーザーの全身のうちの顔以外の少なくとも一部の画像を撮影する撮影部と、
前記撮影部により撮影した前記ユーザーの全身のうちの顔以外の少なくとも一部の画像のデータを格納する格納部と、
前記撮影部により撮影した前記ユーザーの全身のうちの顔以外の少なくとも一部の画像のデータを含ませて画像を形成し、用紙に印刷する印刷部と、
前記印刷部により印刷された印刷物の取り忘れを検知する検知部と、
前記検知部により前記印刷物の取り忘れを検知すれば、前記画像読み取り部により取り忘れられた前記印刷物の画像の読み取りを促すよう報知する報知部と、
前記画像読み取り部により読み取られた前記印刷物の画像から、前記撮影部により撮影した前記ユーザーの全身のうちの顔以外の少なくとも一部の画像のデータを抽出する抽出部と、
前記抽出部により抽出された前記ユーザーの全身のうちの顔以外の少なくとも一部の画像を表示する表示部とを備える、画像形成装置。
【請求項２】
前記画像形成装置を操作する第一の権限を有する第一のモード、および前記第一の権限よりも強い第二の権限を有する第二のモードを切り替えるモード切り替え部を備え、
前記撮影部は、前記ユーザーの顔画像を撮影し、
前記表示部は、前記モード切り替え部により前記第一のモードに切り替えられれば、前記ユーザーの顔画像にモザイク処理を施して表示する、請求項１に記載の画像形成装置。
【請求項３】
前記表示部は、前記モード切り替え部により前記第二のモードに切り替えられれば、前記ユーザーの顔画像を表示する、請求項２に記載の画像形成装置。
【請求項４】
前記検知部により前記印刷物の取り忘れを検知すれば、前記撮影部により前記ユーザーの画像を撮影し、前記格納部により格納された前記ユーザーの画像と一致するか否かを判断する判断部を備える、請求項１〜３のいずれか１項に記載の画像形成装置。
【請求項５】
前記印刷部は、前記撮影部により撮影した前記ユーザーの全身のうちの顔以外の少なくとも一部の画像のデータを、電子透かしで含ませて画像を形成する、請求項１〜４のいずれか１項に記載の画像形成装置。
【請求項６】
前記格納部は、所定の期間が経過すれば、前記画像のデータを消去する、請求項１〜５のいずれか１項に記載の画像形成装置。
【請求項７】
前記撮影部は、前記画像形成装置の前側を撮影するカメラを含む、請求項１〜６のいずれか１項に記載の画像形成装置。
【請求項８】
画像を読み取る画像読み取り部と、
画像を印刷するユーザーの全身のうちの顔以外の少なくとも一部の画像を撮影する撮影部と、
前記撮影部により撮影した前記ユーザーの全身のうちの顔以外の少なくとも一部の画像のデータを格納する格納部と、
前記撮影部により撮影した前記ユーザーの全身のうちの顔以外の少なくとも一部の画像のデータを含ませて画像を形成し、用紙に印刷する印刷部と、
前記印刷部により印刷された印刷物の取り忘れを検知する検知部と、
前記検知部により前記印刷物の取り忘れを検知すれば、前記画像読み取り部により取り忘れられた前記印刷物の画像の読み取りを促すよう報知する報知部と、
前記画像読み取り部により読み取られた前記印刷物の画像から、前記撮影部により撮影した前記ユーザーの全身のうちの顔以外の少なくとも一部の画像のデータを抽出する抽出部と、
前記抽出部により抽出された前記ユーザーの全身のうちの顔以外の少なくとも一部の画像を表示する表示部とを備える、画像形成システム。
【発明の詳細な説明】
【技術分野】
【０００１】
この発明は、画像形成装置および画像形成システムに関するものである。
【背景技術】
【０００２】
ユーザーは、画像形成装置におけるコピー機能やプリンター機能を用いて、所望の印刷をする。ユーザーがコピーを行う場合、一般的には、画像形成装置の設置している箇所に赴き、画像形成装置の前に立ってコピーを行い、出力された印刷物を持ち帰る。
【０００３】
ここで、画像形成装置において、印刷物の取り忘れに関する技術が、特開２００１−３４１２８号公報（特許文献１）、および特開２００９−８９２５０号公報（特許文献２）に開示されている。
【０００４】
特許文献１によると、使用者の顔画像を表示する表示手段を備える画像形成装置に関する技術が開示されている。また、特許文献２には、画像処理装置において、印刷操作時に操作者の顔画像などの操作者を識別する画像を取得し、印刷画像から抽出した特徴量などの索引情報と一緒に登録し、原稿の持ち主の判定が必要な媒体から画像を読み取り、過去の印刷処理にて登録しておいた索引情報から検索し、原稿の持ち主である可能性が高い操作者の画像を出力する技術が開示されている。
【先行技術文献】
【特許文献】
【０００５】
【特許文献１】特開２００１−３４１２８号公報
【特許文献２】特開２００９−８９２５０号公報
【発明の概要】
【発明が解決しようとする課題】
【０００６】
特許文献１によると、使用者の顔画像をそのまま表示することとしているため、個人情報の保護の観点からすると、セキュリティの問題が生ずるおそれがある。また、特許文献２によると、操作者を識別可能な画像を、原稿から読み取った画像の特徴量や印刷した日時、原稿から読み取った印刷情報などの索引情報と関連付けて記憶保存しているため、印刷物を出力したユーザーの確認が不十分となるおそれがある。
【０００７】
この発明の目的は、取り忘れた印刷物を確実に印刷したユーザーに届けることができるとともに、セキュリティの向上を図ることができる画像形成装置を提供することである。
【０００８】
この発明の目的は、取り忘れた印刷物を確実に印刷したユーザーに届けることができるとともに、セキュリティの向上を図ることができる画像形成システムを提供することである。
【課題を解決するための手段】
【０００９】
この発明に係る画像形成装置は、画像を読み取る画像読み取り部と、画像を印刷するユーザーの全身のうちの顔以外の少なくとも一部の画像を撮影する撮影部と、撮影部により撮影したユーザーの全身のうちの顔以外の少なくとも一部の画像のデータを格納する格納部と、撮影部により撮影したユーザーの全身のうちの顔以外の少なくとも一部の画像のデータを含ませて画像を形成し、用紙に印刷する印刷部と、印刷部により印刷された印刷物の取り忘れを検知する検知部と、検知部により印刷物の取り忘れを検知すれば、画像読み取り部により取り忘れられた印刷物の画像の読み取りを促すよう報知する報知部と、画像読み取り部により読み取られた印刷物の画像から、撮影部により撮影したユーザーの全身のうちの顔以外の少なくとも一部の画像のデータを抽出する抽出部と、抽出部により抽出されたユーザーの全身のうちの顔以外の少なくとも一部の画像を表示する表示部とを備える。
【００１０】
このような画像形成装置によると、検知部により印刷物の取り忘れを検知すれば、報知部により印刷物の画像の読み取りを促されて印刷物の画像の読み取りを行った後、表示部により画像に含まれるユーザーの画像の情報を表示する。そうすると、画像情報で印刷したユーザーを特定することができるため、取り忘れた印刷物を確実に印刷したユーザーに届けることができる。また、この場合、ユーザーの全身のうちの顔以外の少なくとも一部の表示であるため、セキュリティの向上を図ることができる。したがって、このような画像形成装置は、取り忘れた印刷物を確実に印刷したユーザーに届けることができるとともに、セキュリティの向上を図ることができる。
【００１１】
また、この発明の他の局面においては、画像形成システムは、画像を読み取る画像読み取り部と、画像を印刷するユーザーの全身のうちの顔以外の少なくとも一部の画像を撮影する撮影部と、撮影部により撮影したユーザーの全身のうちの顔以外の少なくとも一部の画像のデータを格納する格納部と、撮影部により撮影したユーザーの全身のうちの顔以外の少なくとも一部の画像のデータを含ませて画像を形成し、用紙に印刷する印刷部と、印刷部により印刷された印刷物の取り忘れを検知する検知部と、検知部により印刷物の取り忘れを検知すれば、画像読み取り部により取り忘れられた印刷物の画像の読み取りを促すよう報知する報知部と、画像読み取り部により読み取られた印刷物の画像から、撮影部により撮影したユーザーの全身のうちの顔以外の少なくとも一部の画像のデータを抽出する抽出部と、抽出部により抽出されたユーザーの全身のうちの顔以外の少なくとも一部の画像を表示する表示部とを備える。
【００１２】
このような画像形成システムによると、取り忘れた印刷物を確実に印刷したユーザーに届けることができるとともに、セキュリティの向上を図ることができる。
【発明の効果】
【００１３】
このような画像形成装置によると、検知部により印刷物の取り忘れを検知すれば、報知部により印刷物の画像の読み取りを促されて印刷物の画像の読み取りを行った後、表示部により画像に含まれるユーザーの画像の情報を表示する。そうすると、画像情報で印刷したユーザーを特定することができるため、取り忘れた印刷物を確実に印刷したユーザーに届けることができる。また、この場合、ユーザーの全身のうちの顔以外の少なくとも一部の表示であるため、セキュリティの向上を図ることができる。したがって、このような画像形成装置は、取り忘れた印刷物を確実に印刷したユーザーに届けることができるとともに、セキュリティの向上を図ることができる。
【００１４】
また、このような画像形成システムによると、取り忘れた印刷物を確実に印刷したユーザーに届けることができるとともに、セキュリティの向上を図ることができる。
【図面の簡単な説明】
【００１５】
【図１】この発明の一実施形態に係る画像形成装置をデジタル複合機に適用した場合のデジタル複合機の外観を示す概略斜視図である。
【図２】この発明の一実施形態に係る画像形成装置をデジタル複合機に適用した場合のデジタル複合機の構成を示すブロック図である。
【図３】操作部の概略的な構成を示す外観図である。
【図４】この発明の一実施形態に係る画像形成装置を用いてコピーをする場合の処理の内容を示すフローチャートである。
【図５】操作部に含まれる表示画面の一例を示す図である。
【図６】この発明の一実施形態に係る画像形成装置を用いて、印刷物を取り忘れを検知した場合の処理の内容を示すフローチャートである。
【図７】操作部に含まれる表示画面の一例を示す図である。
【発明を実施するための形態】
【００１６】
以下、この発明の実施の形態を説明する。まず、この発明の一実施形態に係る画像形成装置をデジタル複合機に適用した場合のデジタル複合機の構成について説明する。図１は、この発明の一実施形態に係る画像形成装置をデジタル複合機に適用した場合のデジタル複合機の外観を示す概略図である。図２は、この発明の一実施形態に係る画像形成装置をデジタル複合機に適用した場合のデジタル複合機の構成を示すブロック図である。
【００１７】
図１および図２を参照して、デジタル複合機１１は、デジタル複合機１１全体の制御を行う制御部１２と、デジタル複合機１１側から発信する情報やユーザーの入力内容を表示する表示画面２１を含み、印刷部数や階調性等の画像形成の条件や電源のオンオフを入力させる操作部１３と、セットされた原稿を自動的に読み取り部へ搬送するＡＤＦ（Ａｕｔｏ  Ｄｏｃｕｍｅｎｔ  Ｆｅｅｄｅｒ）２２を含み、原稿や印刷物の画像を読み取る画像読み取り部１４と、トナーを用いて現像を行う現像器２３を含み、読み取った画像やネットワーク２５を介して送信された画像データを基に画像を形成する画像形成部１５と、印刷物の取り忘れを検知する取り忘れ検知センサ２９を含み、画像形成部１５により印刷された印刷物を排出するための排紙トレイ２８と、送信された画像データや入力された画像形成条件等の格納を行うハードディスク１６と、公衆回線２４に接続されており、ファクシミリ送信やファクシミリ受信を行うファクシミリ通信部１７と、ネットワーク２５と接続するためのネットワークインターフェース部１８とを備える。なお、デジタル複合機１１は、画像データの書き出しや読み出しを行うＤＲＡＭ（Ｄｙｎａｍｉｃ  Ｒａｎｄｏｍ  Ａｃｃｅｓｓ  Ｍｅｍｏｒｙ）等を備えるが、これらについては、図示および説明を省略する。また、図２中の矢印は、制御信号や制御、画像に関するデータの流れを示している。なお、取り忘れ検知センサ２９は、排紙トレイ２８の上に排出された印刷物の有無を、アクチュエーターや赤外線センサ等により検知することにより、印刷物の取り忘れの有無を検知する。
【００１８】
デジタル複合機１１は、画像読み取り部１４により読み取られた原稿を用いて画像形成部１５において画像を形成することにより、複写機として作動する。また、デジタル複合機１１は、ネットワークインターフェース部１８を通じて、ネットワーク２５に接続されたコンピューター２６ａ、２６ｂ、２６ｃから送信された画像データを用いて、画像形成部１５において画像を形成して用紙に印刷することにより、プリンターとして作動する。すなわち、画像形成部１５は、要求された画像を印刷する印刷部として作動する。また、デジタル複合機１１は、ファクシミリ通信部１７を通じて、公衆回線２４から送信された画像データを用いて、ＤＲＡＭを介して画像形成部１５において画像を形成することにより、また、画像読み取り部１４により読み取られた原稿の画像データを、ファクシミリ通信部１７を通じて公衆回線２４に画像データを送信することにより、ファクシミリ装置として作動する。すなわち、デジタル複合機１１は、画像処理に関し、複写機能、プリンター機能、ファクシミリ機能等、複数の機能を有する。さらに、各機能に対しても、詳細に設定可能な機能を有する。
【００１９】
デジタル複合機１１を含む画像形成システム２７は、デジタル複合機１１と、複数のコンピューター２６ａ、２６ｂ、２６ｃとを備える。具体的には、画像形成システム２７は、上記した構成のデジタル複合機１１と、ネットワーク２５を介してデジタル複合機１１に接続される複数のコンピューター２６ａ、２６ｂ、２６ｃとを備える。この実施形態においては、複数のコンピューター２６ａ〜２６ｃについては、３台示している。各コンピューター２６ａ〜２６ｃはそれぞれ、デジタル複合機１１に対して、ネットワーク２５を介して印刷要求を行って印刷をすることができる。デジタル複合機１１とコンピューター２６ａ〜２６ｃとは、ＬＡＮ（Ｌｏｃａｌ  Ａｒｅａ  Ｎｅｔｗｏｒｋ）ケーブル等を用いて有線で接続されていてもよいし、無線で接続されていてもよく、ネットワーク２５内には、他のデジタル複合機やサーバーが接続されている構成でもよい。
【００２０】
また、デジタル複合機１１は、デジタル複合機１１の前側に立って操作を行うユーザーを撮影可能なカメラ１９を備える。撮影部としてのカメラ１９は、図１において図示はしないが、デジタル複合機１１の主に操作部１３の前側に立つユーザーの顔を含めた全身の画像を撮影する。すなわち、カメラ１９は、画像を形成するユーザーの全身のうちの顔以外の少なくとも一部の画像と、顔の画像とを撮影することができる。制御部１２は、カメラ１９により撮影したユーザーの画像について、ハードディスク１６へ格納する。ここで、ハードディスク１６は、撮影部としてのカメラ１９により撮影した画像のデータを格納する格納部として作動する。
【００２１】
次に、上記した操作部１３の構成について、さらに詳細に説明する。図３は、操作部１３の概略的な構成を示す外観図である。図３を参照して、操作部１３は、印刷部数等を入力させるための０〜９までの数字、および「＊」や「＃」の記号を入力させるテンキー３１と、印刷の開始やファクシミリ送信の開始を指示させるスタートキー３２と、デジタル複合機１１の電源のオンオフを入力させる電源キー３３と、デジタル複合機１１の有するプリンター機能やコピー機能等の選択を指示させるメニューキー３４と、種々の画像形成の条件や使用ユーザーの登録を指示させる登録キー３５と、テンキー３１等を用いてユーザーにより入力された指示の内容をキャンセルさせるリセットキー３６と、上記した表示画面２１とを含む。表示画面２１は、液晶のタッチパネル機能を有しており、ユーザーの指での押圧等により、表示画面２１からも画像形成条件等を入力させると共に、機能の選択等を行うことができる。
【００２２】
次に、この発明の一実施形態に係るデジタル複合機１１を用いて、まず、画像を形成する場合について説明する。ここでは、印刷者であるユーザーがデジタル複合機１１を用いてコピーを行う場合について説明する。図４は、ユーザーがコピーをする場合の処理の内容を示すフローチャートである。
【００２３】
図４等を参照して、まず、ユーザーは、例えば、省エネモードであるスリープモードからデジタル複合機１１を起動する。デジタル複合機１１の起動を検知すると（図４において、ステップＳ１１、以下、「ステップ」を省略する）、操作者であるユーザーのユーザーモードを設定させる（Ｓ１２）。
【００２４】
図５は、ユーザーモードを設定させる場合の操作部１３の表示画面２１の一例を示す図である。図５を参照して、操作部１３の表示画面２１には、「ユーザーモードを設定してください。」とのメッセージ４１ａと、押下により一般ユーザーとしてのユーザーモードが設定可能な「一般ユーザー」と表記された選択キー４２ａと、押下により管理者としてのユーザーモードが設定可能な「管理者」と表記された選択キー４２ｂと、管理者としてモード設定する際のパスワードの入力用のパスワード入力部４３ａが表示される。ユーザーは、自らの権限に応じて、必要に応じてテンキー３１等を用いてパスワード入力部４３ａにパスワードを入力し、いずれかの選択キー４２ａ、４２ｂを押下する。ここで、一般ユーザーというユーザーのモードは、コピーにおける画質の調整や印刷部数の設定等といった第一の権限を有するものであり、一般的な操作を行うことができるものである。また、管理者というユーザーのモードは、第一の権限よりも強い第二の権限を有するものであり、一般的な操作を行うことができることに加え、デジタル複合機１１へのアクセス権限の設定やハードディスク１６に格納されたデータの管理といったデジタル複合機１１の各種設定を行うことができるものである。また、管理者の権限を有する者は、セキュリティの観点からもより高い意識を持っている者である。ここで、操作部１３等は、第一のモードと第二のモードとを切り替えるモード切り替え部として作動する。
【００２５】
その後、ユーザーによって設定されるコピーモードの設定を検知する（Ｓ１３）。すなわち、ユーザーは、操作部１３の表示画面２１等を介して、コピー枚数や画質等、コピーにおける種々の設定を行う。
【００２６】
設定終了後、ユーザーは操作部１３のスタートキー３２を押下してコピーを開始する。ここで、制御部１２は、スタートキー３２の押下を検知すると（Ｓ１４）、画像読み取り部１４により用紙の画像の読み取りを開始する（Ｓ１５）。この場合、ＡＤＦ２２にセットされた用紙を順次読み取り部に搬送し、画像を読み取る。また、この画像の読み取りと共に、カメラ１９によって印刷者であるユーザーを撮影する（Ｓ１６）。この場合、ユーザーの顔画像を含めた全身を撮影する。その後、撮影したユーザーの画像を、ハードディスク１６に格納する（Ｓ１７）。なお、ハードディスク１６に格納されたユーザーの画像については、所定の期間、例えば、数時間とか数日とかを経過すれば、消去される。
【００２７】
次に、撮影したユーザーの画像を含ませて、読み取った画像を基に画像を形成する（Ｓ１８）。この場合、いわゆる電子透かしにより、ユーザーの画像を含ませて画像を形成する。その後、形成した画像を用紙に印刷し（Ｓ１９）、排紙トレイ２８に排出する（Ｓ２０）。このようにして、画像を形成する。一般的なユーザーは、排紙トレイ２８に排出された印刷物を手に取り、自らの座席に戻る。この場合、排紙トレイ２８に設けられた取り忘れ検知センサ２９は、印刷物の取り忘れを検知しない。一方、ユーザーは、排紙トレイ２８に排出された印刷物を取り忘れれば、排紙トレイ２８に残存する印刷物を取り忘れ検知センサ２９が印刷物の取り忘れを検知する。ここで、取り忘れ検知センサ２９は、印刷部により印刷された印刷物の取り忘れを検知する検知部として作動する。
【００２８】
次に、印刷物が取り忘れられた場合について説明する。図６は、印刷物が取り忘れられた場合の処理の内容を示すフローチャートである。図６を参照して、上記と同様に、デジタル複合機１１が起動され（Ｓ２１）、ユーザーモードが設定される（Ｓ２２）。ここで、デジタル複合機１１は、排紙トレイ２８に設けられた取り忘れ検知センサ２９により、排紙トレイ２８に印刷物があるか否かを検知する（Ｓ２３）。
【００２９】
排紙トレイ２８に印刷物がないことを検知すれば（Ｓ２３において、ＮＯ）、上記した図４に示すＳ１２〜Ｓ２０に沿って、そのままコピー動作を継続して処理を終了する（Ｓ３２）。
【００３０】
一方、排紙トレイ２８に用紙があることを検知すれば（Ｓ２３において、ＹＥＳ）、まず、カメラ１９によってその時のユーザーを撮影する（Ｓ２４）。すなわち、現在、デジタル複合機１１の前に立っているユーザーを撮影する。
【００３１】
そして、既にハードディスク１６に格納されているユーザーの画像と撮影したユーザーの画像とを比較し、ユーザーが同じであるか否かを判断する（Ｓ２５）。この場合、デジタル複合機１１に備えられる制御部１２により判断する。具体的には、撮影されたユーザーの服装や髪形、顔の輪郭等が一致するか否かを比較し、判断する。ここで、制御部１２は、判断部として作動する。
【００３２】
ユーザーが同じであると判断すれば（Ｓ２５において、ＮＯ）、すなわち、ユーザーが一致すると判断すれば、同じユーザーがそのまま画像を形成しているか、敢えてそのまま排紙トレイ２８に印刷物の用紙を残したままにしていると判断し、Ｓ３２に示すように、そのままコピー動作を継続して処理を終了する。
【００３３】
一方、ユーザーが同じではないと判断すれば（Ｓ２５において、ＹＥＳ）、すなわち、ユーザーが不一致であると判断すれば、画像を形成したユーザーが、排紙トレイ２８にある印刷物を取り忘れたと認識する。そして、取り忘れられた印刷物の画像を読み取らせるよう促す。これらは、操作部１３の表示画面２１にその旨を表示される（Ｓ２６）。すなわち、操作部１３の表示画面２１には、印刷物の取り忘れおよび読み取りを促す旨が表示される。
【００３４】
図７は、印刷物の取り忘れを検知した場合の操作部１３の表示画面２１の一例を示す図である。図７を参照して、操作部１３の表示画面２１には、「印刷物が取り忘れられています。」とのメッセージ４６ａと、「取り忘れられた印刷物を読み取ってください。」とのメッセージ４６ｂと、押下によりセットされた取り忘れられた印刷物の画像を読み取らせる「はい」と表記された選択キー４７ａとが表示される。ここで、操作部１３等は、印刷物の取り忘れを検知すれば、取り忘れられた印刷物の画像の読み取りを促すよう報知する報知部として作動する。ユーザーは、取り忘れられた印刷物をＡＤＦ２２にセットし、「はい」の選択キー４７ａを押下して、取り忘れられた印刷物の画像を読み取らせる（Ｓ２７）。制御部１２等は、画像読み取り部１４により読み取られた印刷物の画像から、画像形成時に電子透かしによって印刷物の画像に含まれ、撮影部としてのカメラ１９により撮影したユーザーの全身の画像のデータを抽出する（Ｓ２８）。ここで、制御部１２等は、抽出部として作動する。
【００３５】
次に、デジタル複合機１１は、ユーザーモードが一般ユーザーか否かを判断する（Ｓ２９）。すなわち、Ｓ２２において設定されたユーザーモードが、「一般ユーザー」か「管理者」かを判断する。
【００３６】
一般ユーザーであると判断すれば（Ｓ２９において、ＹＥＳ）、顔画像にモザイク処理を施す（Ｓ３０）。この場合、ハードディスク１６に格納された印刷者であるユーザーの画像を加工し、顔部分についてモザイク処理を行う。なお、その他の部分については、モザイク処理を施さない。そして、モザイク処理を施した顔画像を含めたユーザーの全身の画像を操作部１３の表示画面２１に表示する（Ｓ３１）。
【００３７】
一方、ユーザーモードが管理者で設定されていたと判断すれば（Ｓ２９において、ＮＯ）、顔部分にモザイク処理を施さず、そのまま印刷したユーザーの全身の画像を表示画面２１に表示する（Ｓ３１）。その後、取り忘れ検知センサ２９により取り忘れに気付き、画像読み取り部１４により取り忘れられた印刷物を読み取らせたユーザーは、印刷したユーザーを表示画面２１に表示されたユーザーの画像から特定し、印刷者のところに赴いて取り忘れた印刷物を手渡す。
【００３８】
このような構成のデジタル複合機１１は、取り忘れ検知センサ２９により印刷物の取り忘れを検知すれば、表示画面２１により印刷物の画像の読み取りを促されて印刷物の画像の読み取りを行った後、表示画面２１により画像に含まれるユーザーの画像の情報を表示する。そうすると、画像情報で印刷したユーザーを特定することができるため、取り忘れた印刷物を確実に印刷したユーザーに届けることができる。また、この場合、顔画像にモザイク処理を施し、ユーザーの全身を表示しているため、セキュリティの向上を図ることができる。したがって、このような画像形成装置は、取り忘れた印刷物を確実に印刷したユーザーに届けることができるとともに、セキュリティの向上を図ることができる。
【００３９】
この場合、デジタル複合機１１は、デジタル複合機１１を操作する第一の権限を有する一般ユーザーとしての第一のモード、および第一の権限よりも強い管理者としての第二の権限を有する第二のモードを切り替えるモード切り替え部を備える。また、撮影部としてのカメラ１９は、ユーザーの顔画像を撮影する。そして、表示部としての表示画面２１は、モード切り替え部により第一のモードに切り替えられれば、ユーザーの顔画像にモザイク処理を施して表示する。そうすると、権限が強くない第一のモードでデジタル複合機１１を操作する場合、モザイク処理を施したユーザーの顔画像を用いて印刷したユーザーを特定することができる。したがって、さらに確実に取り忘れた印刷物を印刷したユーザーに届けることができると共に、セキュリティの向上を図ることができる。
【００４０】
また、表示部としての表示画面２１は、モード切り替え部により第二のモードに切り替えられれば、ユーザーの顔画像を表示する。そうすると、権限の強い第二のモードでデジタル複合機１１を操作する場合、ユーザーの顔画像を用いて印刷したユーザーを特定することができる。したがって、さらに確実に取り忘れた印刷物を印刷したユーザーに届けることができると共に、セキュリティの向上を図ることができる。
【００４１】
また、この場合、検知部としての取り忘れ検知センサ２９により用紙の取り忘れを検知すれば、撮影部としてのカメラ１９によりユーザーの画像を撮影し、格納部としてのハードディスク１６により格納されたユーザーの画像と一致するか否かを判断する判断部を備える。したがって、印刷したユーザーが意図的に用紙をそのまま置かれていた場合等において、印刷物を取り忘れたか否かを適切に判断することができる。例えば、画像を読み取った後に、画像に歪みが生じていたことが確認できた場合、ユーザーは再びコピーを行う。すなわち、再びコピー動作を行った際に排紙トレイ２８にそのユーザーの出力した印刷物が残っていた場合に、印刷物の取り忘れの問い合わせを回避することができる。
【００４２】
また、この場合、印刷部は、撮影部としてのカメラ１９により撮影した画像のデータを、電子透かしで含ませて画像を形成する。したがって、より適切に画像形成をすることができる。
【００４３】
また、この場合、格納部としてのハードディスク１６は、所定の期間が経過すれば、画像のデータを消去する。そうすると、ハードディスク１６の容量を考慮した適切な処理を行うことができる。したがって、より効率的な処理を行うことができる。
【００４４】
また、この場合、撮影部としてのカメラ１９は、画像形成装置の前側を撮影するカメラを含む。したがって、カメラを用いてより適切に、ユーザーの画像を撮影することができる。
【００４５】
なお、上記の実施の形態において、撮影部により画像を印刷するユーザーの全身の画像を撮影することとしたが、これに限らず、画像を印刷するユーザーの全身のうちの顔以外の少なくとも一部の画像を撮影するよう構成してもよい。こうすることにより、より確実にセキュリティの向上を図ることができる。また、顔画像にモザイク処理を施してユーザーの全身を表示することとしたが、これに限らず、ユーザーの全身のうちの顔以外の少なくとも一部を表示するよう構成してもよい。こうすることによっても、画像情報で印刷したユーザーを特定することができ、取り忘れた印刷物を確実に印刷したユーザーに届けることができると共に、セキュリティの向上を図ることができる。特に、例えば、社内にデジタル複合機が設置されており、制服に取り付けられている名札部分が画像情報として表示されれば、印刷物の取り忘れを気付いたユーザーが、印刷物の所有者の顔を知らない場合でも、取り忘れた印刷物を確実に印刷したユーザーに届けることができると共に、セキュリティの向上を図ることができる。
【００４６】
また、上記の実施の形態においては、電子透かしで画像のデータを含ませて画像を形成することとしたが、これに限らず、他の方法、例えば、バーコード等で含ませてもよい。
【００４７】
なお、上記の実施の形態においては、顔画像にモザイク処理を施すこととしたが、これに限らず、顔画像にぼかし処理や反転処理等を施すよう構成してもよい。
【００４８】
また、上記の実施の形態においては、判断部を備えない構成とし、ユーザーを撮影した後に毎回、印刷物の取り忘れの問い合わせを行うようにしてもよい。さらには、問い合わせの報知後、次の処理を飛ばして進めることができるように構成してもよい。
【００４９】
なお、上記の実施の形態においては、印刷物が取り忘れられた旨等を操作部の表示画面で表示することにより報知することとしたが、これに限らず、音声による報知を行ってもよい。もちろん、表示画面への表示と共に、音声による報知を行ってもよい。
【００５０】
なお、上記の実施の形態においては、ユーザーがコピーを行う場合について説明したが、例えば、ネットワークに接続されているコンピューターからプリントを行う場合、すなわち、ユーザーがデジタル複合機をプリンターとして用いる場合にも適用される。この場合、コンピューターによってプリント命令を発した後、デジタル複合機に印刷物を取りに来るユーザーの画像を撮影する。その後の処理については、コピーの場合と同様である。
【００５１】
また、この発明に係る画像形成システムは、以下の構成としてもよい。すなわち、画像形成システムは、画像を読み取る画像読み取り部を備える。画像形成システムは、画像を印刷するユーザーの全身のうちの顔以外の少なくとも一部の画像を撮影する撮影部を備える。画像形成システムは、撮影部により撮影したユーザーの全身のうちの顔以外の少なくとも一部の画像のデータを格納する格納部を備える。画像形成システムは、撮影部により撮影したユーザーの全身のうちの顔以外の少なくとも一部の画像のデータを含ませて画像を形成し、用紙に印刷する印刷部を備える。画像形成システムは、印刷部により印刷された印刷物の取り忘れを検知する検知部を備える。画像形成システムは、検知部により印刷物の取り忘れを検知すれば、画像読み取り部により取り忘れられた印刷物の画像の読み取りを促すよう報知する報知部を備える。画像形成システムは、画像読み取り部により読み取られた印刷物の画像から、撮影部により撮影したユーザーの全身のうちの顔以外の少なくとも一部の画像のデータを抽出する抽出部を備える。画像形成システムは、抽出部により抽出されたユーザーの全身のうちの顔以外の少なくとも一部の画像を表示する表示部を備える。このような構成としてもよい。すなわち、デジタル複合機１１の外部に撮影部としてのカメラや、撮影部により撮影したユーザーの全身のうちの顔以外の少なくとも一部の画像のデータを格納する格納部としてのハードディスクを設ける構成としてもよい。
【００５２】
今回開示された実施の形態および実施例はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００５３】
この発明に係る画像形成装置および画像形成システムは、取り忘れた印刷物を確実に印刷したユーザーに届けることができるとともに、セキュリティの向上を図ることが要求される場合に、特に有効に利用される。
【符号の説明】
【００５４】
１１  デジタル複合機、１２  制御部、１３  操作部、１４  画像読み取り部、１５  画像形成部、１６  ハードディスク、１７  ファクシミリ通信部、１８  ネットワークインターフェース部、１９  カメラ、２１  表示画面、２２  ＡＤＦ、２３  現像装置、２４  公衆回線、２５  ネットワーク、２６ａ，２６ｂ，２６ｃ  コンピューター、２７  画像形成システム、２８  排紙トレイ、２９  取り忘れ検知センサ、３１  テンキー、３２  スタートキー、３３  電源キー、３４  メニューキー、３５  登録キー、３６  リセットキー、４１ａ，４６ａ，４６ｂ  メッセージ、４２ａ，４２ｂ，４７ａ  選択キー、４３ａ  パスワード入力部。
【図１】
2016034059.tif 000003
【図２】
2016034059.tif 000004
【図３】
2016034059.tif 000005
【図４】
2016034059.tif 000006
【図５】
2016034059.tif 000007
【図６】
2016034059.tif 000008
【図７】
2016034059.tif 000009